(57)【特許請求の範囲】
【請求項１】
器具本体のソケットに螺入する口金を備えたランプであって、
発光素子が設けられた光源部と、
一端に前記口金を有し、他端に前記光源部が設けられる光源保持部と、を備え、
前記光源部は、
表面に前記発光素子が配置された平板状の２つの基台をＶ字状に配置し、それぞれの前記基台の表面に前記発光素子を覆うカバーが設けられ、それぞれの前記基台の裏面に複数枚の板状の冷却フィンを配置し、
２つの前記基台のそれぞれの前記複数枚の冷却フィンは、前記口金の中心軸に対して傾斜し、かつ、前記基台の裏面に対して傾斜しており、
一方の前記基台の前記複数枚の冷却フィンと、他方の前記基台の前記複数枚の冷却フィンとは、前記口金の中心軸を境に傾斜方向が逆向きになっている
ことを特徴とするランプ。
【請求項２】
一方の前記基台の前記複数枚の冷却フィンと、他方の前記基台の前記複数枚の冷却フィンとの間とが、前記口金の中心軸で離間し、前記光源部には、前記口金の中心軸に沿った隙間が設けられている
ことを特徴とする請求項１に記載のランプ。
【請求項３】
前記冷却フィンは、前記基台の外端側が、前記２つの基台の連結部側よりも厚く形成されている
ことを特徴とする請求項１または２記載のランプ。
【請求項４】
前記２つの基台の連結部には、通気孔が形成されている
ことを特徴とする請求項１〜３のいずれかに記載のランプ。
【発明の詳細な説明】
【技術分野】
【０００１】
本発明は、例えばＬＥＤや有機ＥＬなどの発光素子を光源に用いたランプに関する。
【背景技術】
【０００２】
近年、半導体発光素子の一種であるＬＥＤの高出力化、及び低コスト化に伴い、ＨＩＤランプの代替として使用可能なＬＥＤランプが提案されている（例えば、特許文献１参照）。この種のＬＥＤランプでは、一般的に、光源モジュールに冷却フィンを設けてＬＥＤを冷却している。
【先行技術文献】
【特許文献】
【０００３】
【特許文献１】実用新案登録第３１７７９０８号公報
【発明の概要】
【発明が解決しようとする課題】
【０００４】
ところで、ＨＩＤランプの代替としてＬＥＤランプを使用する際には、既存のランプホルダーにＬＥＤランプを取り付けて使用するが、冷却フィンにより吸熱されたＬＥＤの熱が、光源モジュールの周辺に篭もり、効率よくＬＥＤを冷却できなくなるという問題があった。
本発明は、上述した問題を解決するためになされたものであり、発光素子を光源に用い、ＨＩＤランプのような高出力ランプの代替として用いることができ、効率よく発光素子を冷却することができるランプを提供することを目的とする。
【課題を解決するための手段】
【０００５】
上記目的を達成するために、本発明は、器具本体のソケットに螺入する口金を備えたランプであって、発光素子が設けられた光源部と、一端に前記口金を有し、他端に前記光源部が設けられる光源保持部と、を備え、前記光源部は、表面に前記発光素子が配置された平板状の２つの基台をＶ字状に配置し、それぞれの前記基台の表面に前記発光素子を覆うカバーが設けられ、それぞれの前記基台の裏面に複数枚の板状の冷却フィンを配置し、２つの前記基台のそれぞれの前記複数枚の冷却フィンは、前記口金の中心軸に対して傾斜し、かつ、前記基台の裏面に対して傾斜しており、一方の前記基台の前記複数枚の冷却フィンと、他方の前記基台の前記複数枚の冷却フィンとは、前記口金の中心軸を境に傾斜方向が逆向きになっていることを特徴とする。
【０００６】
また、本発明は、上記ランプにおいて、一方の前記基台の前記複数枚の冷却フィンと、他方の前記基台の前記複数枚の冷却フィンとの間とが、前記口金の中心軸で離間し、前記光源部には、前記口金の中心軸に沿った隙間が設けられていることを特徴とする。
【０００７】
また、本発明は、上記ランプにおいて、前記冷却フィンは、前記基台の外端側が、前記２つの基台の連結部側よりも厚く形成されていることを特徴とする。
【０００８】
また、本発明は、上記ランプにおいて、前記２つの基台の連結部には、通気孔が形成されていることを特徴とする。
【発明の効果】
【０００９】
本発明によれば、器具本体のソケットに螺入する口金を備えたランプであって、発光素子が設けられた光源部と、前記口金を有する光源保持部と、を備え、前記光源部は、表面に前記発光素子が配置された平板状の基台を有し、前記基台の裏面に複数枚の板状の冷却フィンを配置し、前記複数枚の冷却フィンは、前記口金の中心軸に対して傾斜し、かつ、前記基台の裏面に対して傾斜するため、冷却フィンの傾斜方向に沿って冷却フィン間の空間の空気を所望の方向に流すことができる。これにより、冷却フィン１７間の空気の流通をし易くし、冷却フィン１７からの放熱性を高めることができ、発光素子の冷却効率を向上することができる。よって、発光素子を光源に用い、ＨＩＤランプのような高出力ランプの代替として用いることができ、効率よく発光素子を冷却することができるランプを提供することができる。
【図面の簡単な説明】
【００１０】
【図１】本発明の実施形態に係るＬＥＤランプを用いた照明器具を示す図であり、（Ａ）は側面図、（Ｂ）は（Ａ）のＩ−Ｉ断面図、（Ｃ）は正面図、（Ｄ）は（Ｃ）のＩＩ−ＩＩ断面図である。
【図２】ＬＥＤランプの構成を示す斜視図であり、（Ａ）はＬＥＤランプを表面から示す斜視図、（Ｂ）はＬＥＤランプを裏面から示す斜視図である。
【図３】ＬＥＤランプの構成を示す六面図であり、（Ａ）は正面図、（Ｂ）は背面図、（Ｃ）は左側面図、（Ｄ）は右側面図、（Ｅ）は平面図、（Ｆ）は底面図である。
【図４】ＬＥＤランプの構成を示す平面図である。
【図５】冷却フィンの構成を示す図であり、（Ａ）はＬＥＤランプを示す図、（Ｂ）は（Ａ）のＩ−Ｉ断面図である。
【図６】ＬＥＤランプの分解斜視図である。
【図７】回転ユニットの構成を示す図であり、（Ａ）は底面図、（Ｂ）は側面図、（Ｃ）は（Ｂ）のＩ−Ｉ断面図、（Ｄ）は回転可能な状態を示す斜視図である。
【図８】光源保持部の構成を示す斜視図であり、（Ａ）は回転可能な状態の図、（Ｂ）は（Ａ）のＡ部拡大図、（Ｃ）は連結状態の図、（Ｄ）は（Ｃ）のＢ部拡大図である。
【図９】変形例のＬＥＤランプを示す正面図である。
【発明を実施するための形態】
【００１１】
以下、本発明の実施の形態を、図面を参照しながら説明する。
図１は、本実施形態に係るＬＥＤランプ１を用いた照明器具５の構成を示す図である。なお、以下の説明において、ＬＥＤランプ１の表裏とは、光源からの光の放射方向を表として定義するものでる。また、ＬＥＤランプ１の上下とは、後述する口金４０の軸方向において口金４０側を下として定義するものである。
【００１２】
ＬＥＤランプ１は、図１に示すように、器具本体１００に取り付けられて使用されるランプである。ＬＥＤランプ１は、ＨＩＤランプのような高出力タイプの既存の放電ランプの代わりに用いることができる程度の光出力を有する。また、ＬＥＤランプ１は、放電ランプが従来取り付けられていた既存の器具本体１００を置き換えることなく、器具本体１００に取り付けることができる。また、ＬＥＤランプ１は、口金４０を備えた口金型のランプであり、口金４０を器具本体１００の既設のソケット１０５に装着して使用できる。照明器具５には、光の放射方向に本体グローブ１１０が着脱可能に取り付けられる。ＬＥＤランプ１は、本体グローブ１１０を取り外した開口部から器具本体１００のソケット１０５に口金４０を螺入させて取り付けられる。
【００１３】
ただし、放電ランプは交流電力で点灯するが、ＬＥＤなどの発光素子は直流電力で点灯する。したがって、発光素子の一例たるＬＥＤ１１を光源としたＬＥＤランプ１を交流の商用電源で点灯させる場合には、商用電源を直流電力に変換する電源回路を通じてＬＥＤランプ１に直流電力を供給することとなる。本実施形態のＬＥＤランプ１は電源回路を内蔵せずに、ソケット１０５の側に電源回路を設け、当該ソケット１０５から口金４０を通じて直流電力が入力される構成となっている。換言すれば、このＬＥＤランプ１を既設の放電ランプ用の灯具に装着する場合には、灯具が備える安定器を電源回路に置き換えて使用する。
本実施形態のＬＥＤランプ１は、例えば１００Ｗ〜３００Ｗの水銀ランプを用いた防犯灯などで、水銀ランプの代替として用いることができるランプである。また、ＬＥＤランプ１は、口金４０を含む全長が略１５ｃｍ〜３０ｃｍのランプである。
【００１４】
次いで、ＬＥＤランプ１の構成について詳述する。
ＬＥＤランプ１は、図２、図３に示すように、光源を備えた光源ユニット１０（光源部）と、光源ユニット１０を保持する光源保持ユニット３０（光源保持部）と、を備える。光源保持ユニット３０は、口金４０を有し、この口金４０に対して垂直に柱状に延びる。口金４０は、例えばＥ２６タイプやＥ３９タイプ等の一般的にＥ型口金と呼ばれるねじ込み式（回しこみ式）のものであり、既存のサイズに合わせて構成され、既設のソケット１０５に螺入させて装着可能になっている。口金４０には、ソケット１０５を通じて直流電源が供給され、光源ユニット１０に供給される。なお、口金４０には差し込み式を用いても良い。
【００１５】
光源ユニット１０は、発光素子の一例たるＬＥＤ１１を光源として備える光源モジュール２０と、光源モジュール２０が表面に配置される矩形平板状の基台１６と、を備える。光源ユニット１０は、２つの基台１６を備え、これら２つの基台１６が、Ｖ字状に連結されて灯具本体１５を構成する。２つの基台１６は、互いのなす角度αが４５°〜１３５°となるようにＶ字状に連結される。２つの基台１６の互いのなす角度αは、器具本体１００の形状や、照明器具５の規定の配光に応じて適宜に設定することができる。本実施形態のＬＥＤランプ１は、２つの基台１６のなす角度αが、略９０°に設定されている。また、口金４０は、中心軸Ｏが、Ｖ字状に連結された２つの基台１６の内側に位置するように配置される。つまり、口金４０の中心軸Ｏは、各基台１６の外端１６Ａ（図４参照）を結ぶ線よりも、２つの基台１６の連結部２５側に位置する。
【００１６】
基台１６の裏面には、複数枚の板状の冷却フィン１７が配置される。各冷却フィン１７は、基台１６の外端１６Ａから、基台１６の短手方向に亘って延びる。冷却フィン１７は、基台１６の表面に配置された光源モジュール２０から基台１６に伝熱されたＬＥＤ１１の熱を吸熱して放熱することで、ＬＥＤ１１を冷却する。灯具本体１５は、２つの基台１６及び冷却フィン１７が例えばアルミニウム等の高熱伝導性を有する金属材から一体成形される。灯具本体１５は、鋳造（例えばアルミダイキャスト）により成形されるのが望ましい。
【００１７】
光源モジュール２０は、実装基板１２と、実装基板１２の表面に実装された複数のＬＥＤ１１と、から構成される。光源モジュール２０は、口金４０の軸方向に沿って延びる矩形状のモジュールである。本実施形態のＬＥＤランプ１では、２つの光源モジュール２０を備え、これらの光源モジュール２０が、口金４０の軸方向に延びる姿勢で配列され、Ｖ字状に連結された基台１６のそれぞれに支持されている。ＬＥＤランプ１は、各基台１６に配置された光源モジュール２０からの光により所望の得られるように構成される。なお、図示は省略するが、器具本体１００の内側に、反射鏡などの光学部材を設けて、ＬＥＤランプ１からの光により所望の配光を得る構成であっても良い。
【００１８】
実装基板１２は、略矩形板状のプリント配線基板であって、その表面には、充電部を構成する電極パターン１９が設けられる。電極パターン１９は、実装基板１２の下端部に形成され、図示を省略したプリント配線を通じて各ＬＥＤ１１に直列又は並列に電気的に接続されている。実装基板１２は、電気絶縁部材２１（図６参照）を挟んで基台１６の表面に取り付けられる。なお、本実施形態の光源モジュール２０は、実装基板１２の表面に複数のＬＥＤ１１を実装する構成であるが、これに限らず、多数のＬＥＤ素子を配列してその表面を樹脂材でモールドして成る所謂ＣＯＢ型ＬＥＤを光源として備え、実装基板１２の略全面が発光する構成であっても良い。
【００１９】
また、各基台１６には、光源モジュール２０を覆うグローブ１３（カバー）が配置される。グローブ１３は、透光性のある材料、例えば樹脂材を用いて、平面視矩形状、かつ、断面半楕円形状に形成される。グローブ１３は、基台１６に対向する、長手方向の両辺が凹状に切り欠かれ、グローブ１３と、基台１６との間には、隙間１８が形成される。この構成によれば、グローブ１３と、基台１６との間に隙間１８を形成したため、グローブ１３の内側にＬＥＤ１１の熱が篭もるのを防ぐことができる。また、光源モジュール２０をグローブ１３で覆ったため、ＬＥＤランプを取り扱う際に、ＬＥＤ１１に作業者の手等が直接触れるのを防止することができる。
【００２０】
図４は、ＬＥＤランプ１の構成を示す図である。図４に示すように、破線で示した直径Ｒの仮想円Ｘの内側に、基台１６の外端１６Ａ、及び、冷却フィン１７が収まるように構成されている。この仮想円Ｘは、器具本体１００の内側に内接する円よりも小さな直径の円であり、仮想円Ｘの中心は、口金４０の中心軸Ｏと一致させている。ＬＥＤランプ１は、この仮想円Ｘに基台１６の外端１６Ａ、及び、冷却フィン１７が収まるように設計されるため、器具本体１００のソケット１０５に口金４０を螺入する際に、光源ユニット１０が器具本体１００と干渉しないように構成される。また、基台１６の外端１６Ａは、仮想円ＸにＬＥＤランプ１が内接する位置まで延出される。これにより、基台１６の外端１６Ａ、及び、冷却フィン１７を、器具本体１００のソケットに口金４０を螺入する際に、器具本体１００と干渉しない位置までできる限り延出させることができる。これらの構成によれば、光源ユニット１０が器具本体１００に干渉することなく、器具本体１００のソケットに口金４０を螺入することができ、かつ、ＬＥＤ１１を搭載できる面積、及び、冷却フィン１７の放熱面積をできるだけ大きくすることができる。よって、ＬＥＤランプ１を、既存の器具本体１００に容易に取り付けることができ、コンパクトでかつ高出力な構成とすることができる。なお、本実施形態のＬＥＤランプ１は、仮想円の直径Ｒが略２８０ｍｍに設定されている。
【００２１】
次に、冷却フィン１７の構成について説明する。
冷却フィン１７は、図３（Ｂ）に示すように、２つの基台１６の連結部２５の裏面に形成された溝部２５Ａから、基台１６の外端１６Ａに向かって、口金４０の中心軸Ｏに対して傾斜する。本実施形態では、冷却フィン１７は、溝部２５Ａから、基台１６の外端１６Ａに向かって、斜め下向きに傾斜する。口金４０の中心軸Ｏに対する冷却フィン１７の傾斜角度βは略４５°〜８０°であることが望ましい。また、各基台１６の裏面から延びる冷却フィン１７は、溝部２５Ａにおいて、中心軸Ｏを中心に互いに離隔し、隙間Ｇが形成される。隙間Ｇにより、各冷却フィン１７間の空間の空気が流通し易くなるため、冷却フィン１７からの放熱性を高めることができる。また、冷却フィン１７を、溝部２５Ａから、基台１６の外端１６Ａに向かって、口金４０の中心軸Ｏに対して傾斜する構成としたため、冷却フィン１７間の空間の空気を傾斜方向に沿って流すことができ、所望の方向に空気を導くことができる。
【００２２】
また、冷却フィン１７は、図５（Ｂ）に示すように、基台１６の裏面に対して傾斜する。冷却フィン１７の基台１６の裏面に対する傾斜角度γは略６０°〜８０°であることが望ましい。このように、冷却フィン１７を基台１６の裏面に対して傾斜させることで、冷却フィン１７間の空間の空気を傾斜方向に沿って流すことができ、所望の方向に空気を導いて、冷却フィン１７からの放熱性を高めることができる。
【００２３】
また、冷却フィン１７は、基台１６の外端１６Ａ側の外端部１７Ａが、溝部２５Ａ側の内端部１７Ｂよりも厚く形成されている。この構成によれば、連結された２つの基台１６において、互いの遠部で多くの熱を吸熱することができる。よって、一方の基台１６に配置された光源モジュール２０の熱が、他方の基台１６に流れるのを防いで、各基台１６で光源モジュール２０の熱を効率よく放熱させることができる。
【００２４】
なお、本実施形態では、ＬＥＤランプ１を器具本体１００に取り付けた状態で、ＬＥＤランプ１の上側に、ＬＥＤランプ１の口金４０をソケット１０５に螺入する際に必要な空間が生じる。ＬＥＤ１１からの熱をこの器具本体１００内の余空間に導くことで、冷却フィン１７からの放熱性を高めることができ、ＬＥＤ１１を効率よく冷却することができる。そのため、本実施形態のＬＥＤランプ１は、ＬＥＤランプ１の上側に冷却フィン１７間の空間の空気を導くことができるように、冷却フィン１７が、溝部２５Ａから、基台１６の外端１６Ａに向かって、口金４０の中心軸Ｏに対して斜め下向き傾斜するとともに、基台１６の裏面に対して斜め上向きに傾斜する。
【００２５】
また、冷却フィン１７は、上述のように、溝部２５Ａから、基台１６の外端１６Ａに向かって、口金４０の中心軸Ｏに対して傾斜するとともに、基台１６の裏面に対して傾斜し、かつ、図３（Ｂ）に示すように、ＬＥＤランプ１の背面視で垂直方向に延びている。この構成によれば、冷却フィン１７を、基台１６と一体に鋳造により成形する際に、型の抜きを容易に行うことができる。
【００２６】
図６は、ＬＥＤランプ１の分解斜視図である。図６に示すように、基台１６は、実装基板１２を内部に収容可能な表面積を有する大きさの薄板状に形成される。基台１６の表面には、電気絶縁部材２１、及び、実装基板１２を収容する収容部２２が設けられる。収容部２２は、実装基板１２を基台１６と略面一に収める深さの凹部であり、底面が平面状に形成される。電気絶縁部材２１及び光源モジュール２０は、収容部２２の底面にねじ止めされる。グローブ１３には、膨出部１３Ａが形成され、基台１６との間に形成される隙間からリード線２４を取り出すことができる。グローブ１３は、上下端部の短手方向の略中央がそれぞれ基台１６の表面にねじ止めされる。
【００２７】
実装基板１２の下端部に形成された電極パターン１９には、実装基板１２の裏面にリード線２４が、例えば半田付けされて接続される。基台１６の下端には、リード線２４を基台１６の裏面に配線する配線孔２３が設けられる。配線孔２３は、本実施形態では、基台１６の下端の一部を切り欠いて形成されるが、基台１６の下端部に設けられた貫通孔であっても良い。また、図示は省略するが、基台１６の表面には、収容部２２から配線孔２３につながる凹部が設けられ、この凹部を通してリード線２４を収容部２２から配線孔２３に配線しても良い。各実装基板１２から延びるリード線２４の先端には、それぞれ雄コネクタ２６Ａが取り付けられる。
【００２８】
光源保持ユニット３０は、口金４０と、口金受体３１と、回路基板３２と、回転ユニット４２と、を備える。
口金受体３１は、ポリカーボネート樹脂等の樹脂材により、中空部を有する円柱状に形成され、下側から口金４０が冠着される。口金受体３１の中空内部には、回路基板３２が収容される。回路基板３２には、雌コネクタ２６Ｂが配置される。口金受体３１の内部には、回路基板３２が収容された中空部から、下面に至って開口する連通路４３が設けられる。実装基板１２から延びるリード線２４の雄コネクタ２６Ａは、後述する回転ユニット４２の導入孔３７Ａ，３７Ｂを通して、雌コネクタ２６Ｂに接続される。リード線２４は、雌コネクタ２６Ｂが設置された回路基板３２のパターン上でまとめられて、結線され、連通路４３を通して、口金４０に延び、口金４０に接続される。これにより、各光源モジュール２０と口金４０とがリード線２４、２４により電気的に接続され、口金４０を通じて供給される直流電力によって各光源モジュール２０に配置されたＬＥＤ１１が点灯する。
【００２９】
回転ユニット４２は、雄回転アダプタ３３と、雌回転アダプタ３４と、ばね３５（付勢ばね）と、抑え金具３６と、を備える。回転ユニット４２は外周が口金受体３１と略同じ径寸法で形成され、口金受体３１の上側に接続された際には、回転ユニット４２と口金受体３１とが、口金４０から光源ユニット１０に延びる一本の柱体となるように構成されている。
雄回転アダプタ３３は、図６及び図７に示すように、凸型円柱状に形成され、台座部３３Ａと、台座部３３Ａから上側に延びる柱部３３Ｂと、を備える。柱部３３Ｂは、直径が、台座部３３Ａの直径よりも小さく形成される。図７（Ｃ）に示すように、雄回転アダプタ３３には、口金４０の中心軸Ｏに沿って、柱部３３Ｂ及び台座部３３Ａを貫通し、リード線２４が通される導入孔３７Ｂが設けられる。
【００３０】
柱部３３Ｂの内部には、導入孔３７Ｂの内周方向に膨出し、口金４０の中心軸Ｏに沿って延びる膨出部３３Ｃが設けられる。膨出部３３Ｃは、台座部３３Ａの下面から、柱部３３Ｂの途中まで延びる（図１（Ｄ）参照）。膨出部３３Ｃは、口金４０の中心軸Ｏを中心に９０度の間隔で４つ設けられる。各膨出部３３Ｃには、口金４０の中心軸Ｏに沿って延びるねじ穴が形成される。
また、柱部３３Ｂの内部には、柱部３３Ｂの上面から、口金４０の中心軸Ｏに沿って柱部３３Ｂの途中まで延びるねじ穴が、導入孔３７Ｂの周囲に、口金４０の中心軸Ｏを中心に９０度の間隔で４つ設けられる。柱部３３Ｂの上面から柱部３３Ｂの内部に延びるねじ穴と、膨出部３３Ｃに形成されたねじ穴とは、上下方向で、同じ位置に配置されていても良いし、異なる位置に配置されていても良い。
【００３１】
台座部３３Ａの上面には、図８（Ａ）に示すように、周方向に並べて複数の突起４１Ａが設けられる。各突起４１Ａは、台座部３３Ａの径方向に延びる略三角柱状の突起である。このように、略三角柱状の突起４１Ａを複数周方向に並べて設けることで、台座部３３Ａの上面には、複数の凸部と、凹部と、が設けられる。また、雄回転アダプタ３３には、図７（Ｃ）に示すように、柱部３３Ｂの外壁から径方向に突出し、台座部３３Ａの上面に連結される雄側ストッパー３８Ａが設けられる。
台座部３３Ａの底部には、凹状にへこませた凹み部４５が設けられる。上述の膨出部３３Ｃは、この凹み部４５に突出し、下端が、台座部３３Ａの下面と略面一となるように形成される。
【００３２】
雌回転アダプタ３４は、有底の中空円柱状に形成される。雌回転アダプタ３４の底板３４Ａには、雄回転アダプタ３３の柱部３３Ｂが挿通される挿通孔３４Ｂが設けられる。底板３４Ａの下面には、図７（Ｄ）に示すように、周方向に並べて複数の突起４１Ｂが設けられる。各突起４１Ｂは、底板３４Ａの径方向に延びる略三角柱状の突起である。このように、略三角柱状の突起４１Ｂを周方向に複数並べて設けることで、底板３４Ａの下面には、複数の凸部と、凹部と、が形成される。また、雌回転アダプタ３４の底板３４Ａには、図７（Ｃ）に示すように、内径方向に突出する雌側ストッパー３８Ｂが設けられる。また、雌回転アダプタ３４の外周面には、外周に出張ったフランジ３９が３ヶ所に雌回転アダプタ３４と一体に形成されている。
【００３３】
ばね３５は、雌回転アダプタ３４の底板３４Ａの上面側に配置され、かつ、雌回転アダプタ３４の内壁と、雌回転アダプタ３４の中空部に挿通された雄回転アダプタ３３の柱部３３Ｂの外壁と、の間に配置されるコイル状のばねである。また、ばね３５は、力がかかっていない状態での高さが、雌回転アダプタ３４の高さより若干高いばねである。
抑え金具３６は、円形板状の金具であり、雌回転アダプタ３４の内壁に遊びを持った状態で嵌められる大きさに形成される。抑え金具３６には、中央にリード線２４を通す導入孔３７Ａが設けられる。また、抑え金具３６には、雄回転アダプタ３３の柱部３３Ｂ上面に設けられたねじ穴に対応する位置にねじ孔３６Ａが設けられる。
【００３４】
回転ユニット４２を組み立てる際には、雌回転アダプタ３４に雄回転アダプタ３３の柱部３３Ｂを挿通し、雌回転アダプタ３４の内壁と、雄回転アダプタ３３の柱部３３Ｂの外壁と、の間にばね３５を配置する。次に、雌回転アダプタ３４の上側から、雌回転アダプタ３４の内側に抑え金具３６を遊勘させる。そして、抑え金具３６のねじ孔３６Ａに挿通したねじを、雄回転アダプタ３３の柱部３３Ｂ上面設けられたねじ穴に螺入させる。抑え金具３６は下面を、雄回転アダプタ３３の柱部３３Ｂ上面に当接させて、固定される。こうして、雄回転アダプタ３３と、雌回転アダプタ３４と、ばね３５と、抑え金具３６と、により回転ユニット４２が構成される。ばね３５は、抑え金具３６と、雌回転アダプタ３４の底板３４Ａと、の間で若干押し込められた状態で、回転ユニット４２内に収容される。
【００３５】
ばね３５により、雌回転アダプタ３４には、底板３４Ａの下面を、雄回転アダプタ３３の台座部３３Ａの上面に押し付ける方向に力がかかる。台座部３３Ａの上面、及び、底板３４Ａの下面には、それぞれ複数の突起４１Ａ，４１Ｂが設けられ、底板３４Ａの下面が、台座部３３Ａの上面に押し付けられることで、突起４１Ａ、４１Ｂが互いに噛み合う。回転ユニット４２は、この突起４１Ａ、４１Ｂの噛み合いにより、雌回転アダプタ３４と、雄回転アダプタ３３と、の相対的な回転が規制される。つまり、突起４１Ａによって設けられる台座部３３Ａの上面の凸部または凹部と、突起４１Ｂによって設けられる底板３４Ａの下面の凹部または凸部とが嵌合することで、雌回転アダプタ３４と、雄回転アダプタ３３と、の相対的な回転が規制される。
【００３６】
雄回転アダプタ３３と、雌回転アダプタ３４とは、図７（Ｄ）に示すように、軸方向に手作業で引き離すことで、突起４１Ａ、４１Ｂの噛み合が解除され、相対的に回転可能となる。このとき、雌回転アダプタ３４内に収容されたばね３５は、抑え金具３６と、雌回転アダプタ３４の底板３４Ａと、の間でさらに押し込められた状態となる。雄回転アダプタ３３と、雌回転アダプタ３４とは、軸方向に引き離す力から解放することで、ばね３５により相対的に軸方向に押し込む力がかかり、突起４１Ａ、４１Ｂが噛み合った連結状態となる。
また、上述したように、雄回転アダプタ３３と、雌回転アダプタ３４とには、それぞれ雄側ストッパー３８Ａ、雌側ストッパー３８Ｂが設けられている。雄回転アダプタ３３と、雌回転アダプタ３４と、の相対的な回転は、雄側ストッパー３８Ａと、雌側ストッパー３８Ｂと、が干渉することで、３６０°以上回転しないように規制される。
【００３７】
雄回転アダプタ３３は、口金受体３１の下側から、膨出部３３Ｃに設けられたねじ穴にねじ込まれたねじで回路基板３２と共に口金受体３１にねじ止めされる。回路基板３２の上面に突設された雌コネクタ２６Ｂは、雄回転アダプタ３３の台座部３３Ａの底部に設けられた凹み部４５内に収容される。
なお、雄回転アダプタ３３は、上側から抑え金具３６をねじ止めし、かつ、下側から口金受体３１にねじ止めすることができる高さに形成されている。
【００３８】
図７および図８に示すように、ＬＥＤランプ１は、雌回転アダプタ３４に設けられたフランジ３９を、灯具本体１５の下面にねじ止めして、光源保持ユニット３０と、光源ユニット１０とが一体に構成される。フランジ３９は、各基台１６、及び、２つの基台１６の連結部２５に対応する位置に設けられ、各基台１６の下面と、連結部２５の下面とに、ねじ止めされる。
【００３９】
ＬＥＤランプ１の口金４０を器具本体１００のソケット１０５に螺入させて、ＬＥＤランプ１を器具本体１００に対して固定した際に、ＬＥＤランプ１の照射方向が、照明器具５の照射方向と一致しない場合がある。ＬＥＤランプ１の照射方向が、照明器具５の照射方向と一致しない場合には、ＬＥＤランプ１の口金４０を器具本体１００のソケット１０５に螺入した状態で、光源ユニット１０を、口金４０の軸方向に、口金４０から引き離すように引く。これにより、図８（Ａ）及び図８（Ｂ）に示すように、雄回転アダプタ３３と、雌回転アダプタ３４との、突起４１Ａ、４１Ｂの噛み合いが解除され、光源ユニット１０が、光源保持ユニット３０に対して相対的に回転可能な状態となる。この状態で、光源ユニット１０を、照射方向が照明器具５の照射方向と一致するように回転させる。ＬＥＤランプ１の照射方向が、照明器具５の照射方向と一致した位置で光源ユニット１０を軸方向に引いている力から解放すると、ばね３５の付勢力により、光源ユニット１０が、光源保持ユニット３０に対して軸方向に押し込まれる。光源ユニット１０が、光源保持ユニット３０に対して軸方向に押し込まれると、図８（Ｃ）及び図８（Ｄ）に示すように、光源ユニット１０と光源保持ユニット３０は連結状態となる。この連結状態では、突起４１Ａ、４１Ｂが互いに噛み合った状態となり、光源ユニット１０と光源保持ユニット３０との相対的な回転が規制される。
【００４０】
これらの構成によれば、光源ユニット１０と光源保持ユニット３０とを、連結状態と、相対的に回転可能な状態とを切り替え可能な構成としたため、光源ユニット１０を光源保持ユニット３０に接続したままの状態で、光源ユニット１０を光源保持ユニット３０に対して回転させることができ、ＬＥＤランプ１の照射方向を、照明器具５の照射方向に容易に一致させることができる。また、光源ユニット１０を軸方向に引いて、回転させて、離すという簡単な作業で、ＬＥＤランプ１の照射方向を、照明器具５の照射方向に一致させることができ、取り付け作業性を向上することができる。
【００４１】
また、雄回転アダプタ３３および雌回転アダプタ３４に、それぞれ周方向に並べて多数の突起４１Ａ，４１Ｂを設けたため、光源ユニット１０を、光源保持ユニット３０に対して略無段階的に回転させることができる。よって、ＬＥＤランプ１の照射方向を、照明器具５の照射方向に正確に一致させることができる。本実施形態においては１０°間隔で３６個の突起４１Ａ、４１Ｂを設けており、１０°間隔で光源ユニット１０の角度を調整することができる。
また、光源ユニット１０と、光源保持ユニット３０とを相対的に回転可能な状態とした際でも、上述したストッパー３８Ａ，３８Ｂにより、光源ユニット１０と、光源保持ユニット３０とは相対的に３６０°以上回転しない。この構成によれば、光源ユニット１０を、光源保持ユニット３０に対して相対的に回転させる際に、回転ユニット４２の中心に設けられた導入孔３７Ａ，３７Ｂを通って、光源ユニット１０から口金４０に延びるリード線２４が、３６０°以上ねじれるのを防止することができる。
【００４２】
なお、本実施形態では、光源ユニット１０を、口金４０の軸方向に引くことで、光源ユニット１０と光源保持ユニット３０とを相対的に回転可能な状態とする構成であるが、これに限らず、光源ユニット１０を、口金４０の軸方向に押し込むことで、光源ユニット１０と光源保持ユニット３０とを相対的に回転可能な状態とする構成であっても良い。光源ユニット１０を、口金４０の軸方向に押し込むことで、光源ユニット１０と光源保持ユニット３０とを相対的に回転可能な状態とする構成とした場合には、図示は省略するが、例えば、雄回転アダプタ３３の柱部３３Ｂに鍔状のフランジを設けて、当該フランジの下面に突起４１Ａを形成する。そして、雌回転アダプタ３４の底板３４Ａの上面に設けた突起４１Ｂと、雄回転アダプタ３３の突起４１Ａとをかみ合わせて、光源ユニット１０と、光源保持ユニット３０とを連結状態にする構成とすることができる。この構成では、ばね３５は、例えば、押さえ金具３６と、雄回転アダプタ３３の柱部３３Ｂに設けられた鍔状のフランジとの間に配置されて、光源ユニット１０を、口金４０の軸方向に押し込むことで、ばね３５が押し込められ、雄回転アダプタ３３を押し戻す方向に付勢する。
【００４３】
図９は本実施形態の変形例を示す図である。図９に示すように、基台１６の連結部２５には、灯具本体１５の表裏に貫通する通気孔４４が設けられていても良い。通気孔４４は、口金４０の軸方向に沿って複数設けられても良い。２つの基台１６をＶ字状に配置して連結することで、連結部２５（溝部２５Ａ）周辺にはＬＥＤ１１からの熱が篭もりやすくなる。この溝部２５Ａに、灯具本体１５の表裏に貫通する通気孔４４を設けることで、溝部２５Ａ周辺の空気が流通し易くなり、溝部２５Ａ周辺にＬＥＤ１１からの熱が篭もるのを防ぐことができる。なお、通気孔４４は矩形であっても良いし、円形であっても良く、その形状及び数は任意に設定可能である。
【００４４】
以上説明したように、本実施形態のＬＥＤランプ１によれば、次の効果を奏する。
すなわち、本実施形態によれば、器具本体１００のソケット１０５に螺入する口金４０を備えたＬＥＤランプ１であって、発光素子の一例たるＬＥＤ１１が設けられた光源ユニット１０と、口金４０を有する光源保持ユニット３０と、を備え、光源ユニット１０と、光源保持ユニット３０とは、連結状態と、相対的に回転可能な状態とを切り換え可能であり、光源ユニット１０は、表面にＬＥＤ１１が配置された２つの基台１６をＶ字状に配置し、基台１６の裏面に冷却フィン１７を配置し、口金４０の中心軸Ｏを基台１６の内側に位置させ、ソケット１０５に口金４０を螺入する際に、基台１６と、冷却フィン１７とが、器具本体１００と干渉しない配置としたことを特徴とする。
この構成によれば、ＬＥＤ１１が配置された２つの基台１６をＶ字状に配置し、かつ、ソケット１０５に口金４０を螺入する際に、基台１６が、器具本体１００と干渉しない配置としたため、ＬＥＤ１１を光源として用いて、明るさ、及び、大きさにおいて、高出力タイプのＨＩＤランプの代替となり得るとともに、既存の器具本体１００に容易に取り付けることができる取り扱い性の良いＬＥＤランプ１を提供することができる。さらに、基台１６の裏面に配置した冷却フィン１７により、ＬＥＤ１１からの熱を基台１６の裏面から効率よく放熱させることができる。
【００４５】
また、本実施形態によれば、ソケット１０５に口金４０を螺入する際に器具本体１００と干渉しない位置まで基台１６、及び、冷却フィン１７の外縁を延出させて構成した。これにより、ＬＥＤランプ１を、ソケット１０５に口金４０を螺入して既存の器具本体１００に容易に取り付けることができるとともに、ＬＥＤ１１を配置することができる面積を広げることができ、高出力タイプのＨＩＤランプの代替となり得る十分な明るさのＬＥＤランプ１を提供することができる。
【００４６】
また、本実施形態によれば、ＬＥＤ１１は透光性を有するグローブ１３で覆われ、グローブ１３と基台１６との間には、隙間１８が形成されている。これにより、ＬＥＤランプ１を取り扱う際に、ＬＥＤ１１に直接作業者の手などが触れるのをグローブ１３により、防ぐことができる。また、グローブ１３と基台１６との間の隙間１８から、ＬＥＤ１１が発した熱を逃がすことができ、ＬＥＤ１１からの熱がグローブ１３の内側に篭もるのを防ぐことができる。
【００４７】
また、本実施形態によれば、光源ユニット１０と、光源保持ユニット３０とは、連結状態と、相対的に回転可能な状態とを切り換え可能である。この構成によれば、ソケット１０５に口金４０を螺入して器具本体１００にＬＥＤランプ１を取り付ける際に、ＬＥＤランプ１の照射方向と、照明器具５の照射方向とを、光源ユニット１０を、光源保持ユニット３０に対して回転させることで容易に一致させることができる。
【００４８】
また、本実施形態によれば、２つの基台１６は一体成形されているため、ＬＥＤランプ１の組立作業性、及び、取り扱い性を向上することができる。
【００４９】
また、本実施形態によれば、２つの基台１６のなす角度が４５°〜１３５°であるため、ＬＥＤランプ１を器具本体１００に取り付けた際に、照明器具５の照射方向にＬＥＤ１１の光を放射させて、所望の配光を得ることができる。
【００５０】
また、本実施形態によれば、器具本体１００のソケット１０５に螺入する口金４０を備えたＬＥＤランプ１であって、発光素子の一例たるＬＥＤ１１が設けられた光源ユニット１０と、口金４０を有する光源保持ユニット３０と、を備え、光源ユニット１０は、表面にＬＥＤ１１が配置された平板状の基台１６を有し、基台１６の裏面に複数枚の板状の冷却フィン１７を配置し、複数枚の冷却フィン１７は、口金４０の中心軸Ｏに対して傾斜し、かつ、基台１６の裏面に対して傾斜する。これにより、冷却フィン１７間の空間の空気を傾斜方向に沿って流すことができ、所望の方向に空気を導いて、冷却フィン１７からの放熱性を高めることができる。
【００５１】
また、本実施形態によれば、光源ユニット１０は、表面にＬＥＤ１１が配置された２つの基台１６をＶ字状に配置し、基台１６の裏面に複数枚の冷却フィン１７を配置して形成されている。これにより、ＬＥＤ１１を配置できる面積を広げて、所望の明るさを得ることができ、かつ、冷却フィン１７によりＬＥＤ１１を効率よく冷却することができる。よって、ＬＥＤ１１を光源として用いて、明るさ、及び、大きさにおいて、高出力タイプのＨＩＤランプの代替となり得るＬＥＤランプ１を提供することができる。
【００５２】
また、本実施形態によれば、冷却フィン１７は、基台１６の外端１６Ａ側が、２つの基台１６の連結部２５側よりも厚く形成されている。これにより、各基台１６に配置されたＬＥＤ１１からの熱を、基台１６の外端１６Ａ側、つまり、互いから離れた位置でより吸熱させて放熱させることができる。よって、一方の基台１６に配置されたＬＥＤ１１の熱の影響を他方の基台１６に配置されたＬＥＤ１１が受けるのを防ぐことができ、ＬＥＤ１１の長寿命化を図ることができる。
【００５３】
また、本実施形態によれば、２つの基台１６の連結部２５には、通気孔４４が形成されている。これにより、ＬＥＤ１１からの熱が篭もりやすい連結部２５周辺の空気を流通し易くし、連結部２５周辺にＬＥＤ１１からの熱が篭もるのを防ぐことができる。
【００５４】
また、本実施形態によれば、発光素子の一例たるＬＥＤ１１が設けられた光源ユニット１０と、口金４０を有する光源保持ユニット３０と、を備え、光源ユニット１０と光源保持ユニット３０とは、光源ユニット１０を口金４０の軸方向に移動させることにより、相対的に回転可能な状態と、連結状態とを切り替え可能である。これにより、口金４０を既存の器具本体１００のソケット１０５に螺入させた後に、光源ユニット１０を、光源保持ユニット３０に対して回転させて、ＬＥＤランプ１の照射方向を、照明器具５の照射方向に容易に一致させることができる。
【００５５】
また、本実施形態によれば、光源ユニット１０と光源保持ユニット３０とは、光源ユニット１０を口金４０の軸方向に引くことで相対的回転可能な状態となり、光源ユニット１０を口金４０の軸方向に押し込むことで、連結状態となる。これにより、光源ユニット１０と光源保持ユニット３０とを、相対的回転可能な状態と、連結状態とを簡単に切り換えることができる。よって、ＬＥＤランプ１の器具本体１００への取り付け作業性を向上することができる。
【００５６】
また、本実施形態によれば、連結状態では、光源ユニット１０の突起４１Ａにより構成される凸部又は凹部と、光源保持ユニット３０の突起４１Ｂにより構成される凹部または凸部とが嵌合する。これにより、連結状態において、光源ユニット１０と光源保持ユニット３０とが相対的に回転するのを防ぐことができる。よって、ＬＥＤランプ１を器具本体１００に取り付けられた使用時に、光源ユニット１０が回転して、ＬＥＤランプ１の照射方向が照明器具５の照射方向からずれるのを防ぐことができる。
【００５７】
また、本実施形態によれば、光源ユニット１０を口金４０の軸方向に押し込む付勢ばね３５を備えた。これにより、光源ユニット１０を口金４０の軸方向に引いて、回転させた後に、光源ユニット１０を引く力から解放することで、付勢ばねにより、光源ユニット１０と光源保持ユニット３０とが連結状態となる。よって、光源ユニット１０を引いて、回して、離すという簡単な作業で、光源ユニット１０を光源保持ユニット３０に対して回転させて、ＬＥＤランプ１の照射方向を、照明器具５の照射方向に容易に合わせることができる。また、光源ユニット１０と光源保持ユニット３０とが相対的回転可能な状態で放置されることがなく、ＬＥＤランプ１の取り付け作業性を向上することができる。
【００５８】
また、本実施形態によれば、光源ユニット１０と、光源保持ユニット３０とが相対的に３６０°以上回転しないように規制するストッパー３８Ａ，３８Ｂを備えた。これにより、光源ユニット１０から口金４０に、光源保持ユニット３０に設けられた導入孔３７Ａ，３７Ｂを取って延びるリード線２４が、光源ユニット１０を光源保持ユニット３０に対して回転させた際に、３６０°以上回転してねじれるのを防ぐことができる。
【００５９】
なお、上述した実施形態は、あくまでも本発明の一態様を例示したものであって、本発明の趣旨を逸脱しない範囲で任意に変形、及び応用が可能である。
例えば上述した実施形態では、発光素子の一例としてＬＥＤ１１を例示したが、これに限らず、有機ＥＬ等の他の発光素子でも良い。
【符号の説明】
【００６０】
１  ＬＥＤランプ
１０  光源ユニット（光源部）
１１  ＬＥＤ
１２  実装基板
１３  グローブ
１６  基台
１６Ａ  外端
１７  冷却フィン
２０  光源モジュール
２４  リード線
２５  連結部
２５Ａ  溝部
３０  光源保持ユニット（光源保持部）
３５  ばね
３８Ａ，３８Ｂ  ストッパー
４０  口金
４１  突起（凹部、凸部）
４２  回転ユニット
４４  通気孔
【図１】
0006331876.tif 000002
【図２】
0006331876.tif 000003
【図３】
0006331876.tif 000004
【図４】
0006331876.tif 000005
【図５】
0006331876.tif 000006
【図６】
0006331876.tif 000007
【図７】
0006331876.tif 000008
【図８】
0006331876.tif 000009
【図９】
0006331876.tif 000010